(57)【要約】【課題】ディスク再生装置のプログラム再生機能において、ディスクを交換した場合の利便性を向上させる。【解決手段】読み取ったディスク識別情報と、トラック再生順序を示す再生トラック情報に対応付けられたディスク識別情報との一致を検出し、トラック再生順序による再生要求により、対応する再生トラック情報に基づくトラック再生をサーボ制御回路１２に指示するシステム制御部１４を備える。【選択図】  図１
2004348871.tif 000002
【特許請求の範囲】
【請求項１】
ディスクに記録されたデータを任意のトラック再生順序で再生可能なディスク再生装置であって、
前記ディスクのトラック再生によりデータを取得するデータ取得手段と、
前記データ取得手段で取得したデータから抽出したディスク識別情報と、前記トラック再生順序を示す再生トラック情報に対応付けられたディスク識別情報との一致を検出し、前記トラック再生順序による再生要求により、対応する再生トラック情報に基づくトラック再生を前記データ取得手段に指示する制御手段と、
を備えるディスク再生装置。
【請求項２】
前記制御手段は、前記再生トラック情報に付加された各トラックの優先度情報に基づいて抽出したトラック再生を前記データ取得手段に指示する請求項１記載のディスク再生装置。
【請求項３】
前記ディスク識別情報および前記トラック再生情報を記憶する記憶手段を備える請求項１または２記載のディスク再生装置。
【請求項４】
ディスクのトラック再生順序を示す再生トラック情報を受け付けるステップと、
前記再生トラック情報および前記再生トラック情報に対応するディスク識別情報を登録するステップと、
を含む登録方法。
【請求項５】
前記再生トラック情報に各トラックの優先度情報を付加するステップを含む請求項４記載の登録方法。
【請求項６】
ディスクに記録されたデータを任意のトラック再生順序で再生可能なディスク再生方法であって、
前記ディスクから取得したデータから前記ディスクを識別するディスク識別情報を抽出するステップと、
抽出したディスク識別情報と、請求項４または５記載の登録方法で登録したディスク識別情報との一致を検出するステップと、
前記トラック再生順序による再生要求により、対応する再生トラック情報に基づいてトラックを再生するステップと、
を含むディスク再生方法。
【請求項７】
前記優先度情報に基づいて再生するトラックを抽出するステップを含む請求項５記載のディスク再生方法。
【請求項８】
請求項４または５記載の登録方法に記載のステップと、請求項６または７記載のディスク再生方法に記載のステップとをコンピュータに実行させるプログラム。
【発明の詳細な説明】
【０００１】
【発明の属する技術分野】
本発明は、コンパクトディスク（ＣＤ）等のディスクの再生装置および方法に関する。
【０００２】
【従来の技術】
現在、ＣＤ等に代表される光ディスクはオーディオ信号の記録媒体として急速に普及している。これらは、ランダムアクセス、ディジタル信号処理による高音質化、長時間使用による音質劣化がないことが大きな特徴となっている。特に、ランダムアクセスの特徴を活かし、１枚の光ディスクに収録された複数の楽曲（トラック）の中から所望のトラックを指定して再生する機能や、楽曲の途中で再生を中断しても、次に当該ディスクを再生する時には中断した位置から再開する機能など、多様な機能が提案されている（例えば特許文献１参照）。
【０００３】
再生における一般的な機能として、プログラム再生機能（メモリ再生機能）がある。この機能では、操作者が、再生したいトラック番号を再生したい順番に選択して入力し、その再生トラック情報が再生用プログラムとしてシステム制御マイコンの記憶領域に保存される。再生時は、再生トラック情報に従ってシステム制御マイコンが再生トラックを自動的に変更する。再生トラック情報を設定した後は、操作者の楽曲選択操作が不要となるため、再生において便利な機能である。
【０００４】
図６は、プログラム再生機能を備えた従来のディスク再生装置の構成を示す図である。ディスク再生装置２００は、ピックアップ４０、スピンドルモータ４１、サーボ制御回路４２、操作部４３、システム制御部４４を備える。
【０００５】
ピックアップ４０は、対物レンズ（不図示）でレーザ光を集光して光ディスク３００から信号を読み出す。スピンドルモータ４１は、ピックアップ４０が光ディスク３００の円周上を通過するように、光ディスク３００の回転を制御する。サーボ制御回路４２は、ピックアップ４０とスピンドルモータ４１の協調制御を行う。また、ピックアップ４０が光ディスク３００から読み出したデータを取得する。操作部４３は、操作者の入力情報をシステム制御部４４へ伝達する。システム制御部４４は、操作部４３からの入力情報に基づいて、サーボ制御回路４２に制御命令を行い、光ディスク３００のデータをサーボ制御回路４２から取得する。システム制御部４４は内部記憶領域５０を有し、システム制御部４４の動作情報を保持する。操作者が入力する再生用プログラムとしての再生トラック情報は、内部記憶領域５０内の再生トラック情報部５１に記憶される。
【０００６】
操作者が操作部４３から入力を行ってプログラム再生機能の実行が要求されると、システム制御部４４は、再生トラック情報部５１に記憶された再生トラック情報を読み出し、サーボ制御回路４２に制御命令を送信する。再生トラック情報として複数のトラックの再生が設定されている場合、設定した再生順序に応じた再生指示がサーボ制御回路４２へ伝達される。
【０００７】
【特許文献１】
特開２００２−２４５７０９号公報（第３〜５頁、第１〜２図）
【０００８】
【発明が解決しようとする課題】
しかしながら、従来のプログラム再生機能では、ディスク再生装置からディスクを取り出すと、設定した再生用プログラムがクリアされるため、再度同じディスクに交換した場合でも、同じ再生トラック情報を設定し直す必要があり利便性が損なわれていた。例えば、ユーザが第一のディスクにてプログラム再生機能を用いて再生した後、第二のディスクを再生し、再び第一のディスクにてプログラム再生機能を用いて再生しようとした場合、ユーザが再生したいトラックを選択し直す必要があった。
【０００９】
本発明はかかる点に鑑みてなされたものであり、ユーザが選択したディスク内の任意のトラックを再生するプログラム再生機能において、ディスクを交換した場合の利便性を向上させることができるディスク再生装置および方法を提供することを目的とする。
【００１０】
【課題を解決するための手段】
請求項１のディスク再生装置は、ディスクに記録されたデータを任意のトラック再生順序で再生可能なディスク再生装置であって、前記ディスクのトラック再生によりデータを取得するデータ取得手段と、前記データ取得手段で取得したデータから抽出したディスク識別情報と、前記トラック再生順序を示す再生トラック情報に対応付けられたディスク識別情報との一致を検出し、前記トラック再生順序による再生要求により、対応する再生トラック情報に基づくトラック再生を前記データ取得手段に指示する制御手段とを備える。
【００１１】
上記構成によれば、ディスク識別情報が、再生トラック情報に対応付けられたディスク識別情報に一致する場合は、対応する再生トラック情報に基づいてトラック再生を行うことで、ディスクを交換した場合でも、再度の再生トラック情報の入力が不要になり、利便性を向上させることができる。
【００１２】
請求項２のディスク再生装置は、請求項１記載のディスク再生装置において、前記制御手段は、前記再生トラック情報に付加された各トラックの優先度情報に基づいて抽出したトラック再生を前記データ取得手段に指示するものである。
【００１３】
上記構成によれば、複数のトラックから優先度情報に基づいて再生トラックを抽出することで、柔軟なトラック再生を行うことができる。
【００１４】
請求項３のディスク再生装置は、請求項１または２記載のディスク再生装置において、前記ディスク識別情報および前記トラック再生情報を記憶する記憶手段を備える。
【００１５】
上記構成によれば、ディスク識別情報および再生トラック情報を記憶する記憶手段を備えることで、複数のディスクに対応する再生トラック情報を記憶させる場合でも、記憶容量の拡大を図ることで対応することができる。
【００１６】
請求項６のディスク再生方法は、ディスクに記録されたデータを任意のトラック再生順序で再生可能なディスク再生方法であって、前記ディスクから取得したデータから前記ディスクを識別するディスク識別情報を抽出するステップと、抽出したディスク識別情報と、請求項４または５記載の登録方法で登録したディスク識別情報との一致を検出するステップと、前記トラック再生順序による再生要求により、対応する再生トラック情報に基づいてトラックを再生するステップとを含む。
【００１７】
上記構成によれば、ディスク識別情報が、再生トラック情報に対応付けられたディスク識別情報に一致する場合は、対応する再生トラック情報に基づいてトラック再生を行うことで、ディスクを交換した場合でも、再度の再生トラック情報の入力が不要になり、利便性を向上させることができる。
【００１８】
請求項７のディスク再生方法は、請求項６記載のディスク再生方法において、前記優先度情報に基づいて再生するトラックを抽出するステップを含む。
【００１９】
上記構成によれば、複数のトラックから優先度情報に基づいて再生トラックを抽出することで、柔軟なトラック再生を行うことができる。
【００２０】
【発明の実施の形態】
以下、本発明の実施の形態について図面を用いて説明する。図１は、本発明の実施の形態のディスク再生装置の構成を示す図である。ディスク再生装置１００は、ピックアップ１０、スピンドルモータ１１、サーボ制御回路１２、操作部１３、システム制御部１４を備える。
【００２１】
ピックアップ１０は、対物レンズ（不図示）でレーザ光を集光して光ディスク３００から信号を読み出す。スピンドルモータ１１は、ピックアップ１０が光ディスク３００の円周上を通過するように、光ディスク３００の回転を制御する。サーボ制御回路１２は、ピックアップ１０とスピンドルモータ１１の協調制御を行う。また、トラック再生によりピックアップ１０が光ディスク３００から読み出したデータを取得する。操作部１３は、操作者の入力情報をシステム制御部１４へ伝達する。システム制御部１４は、操作部１３からの入力情報に基づいて、サーボ制御回路１２に制御命令を行い、サーボ制御回路１２を介して光ディスク３００のデータを取得する。システム制御部１４は内部記憶領域２０を有し、システム制御部１４の動作情報を保持する。内部記憶領域２０には、ディスク識別情報部２１と再生トラック・優先度情報部２２があり、光ディスク固有の識別情報と、操作者が入力する再生トラック順序および各トラックの再生優先度情報がそれぞれ記録される。プログラム設定モードで操作者が入力した再生トラック番号と優先度情報は、当該ディスクのディスク識別情報と対応付けて再生トラック・優先度情報部２２に格納される。優先度情報の詳細については後述するが、優先度情報に基づいて抽出したトラック再生を行うことにより、複数のトラックの中から更に優先度の高いトラックだけを抽出して再生することができる。
【００２２】
なお、ディスク識別情報部２１と再生トラック・優先度情報部２２には、記憶容量の範囲内で複数の光ディスクに関する情報を記憶することができる。また、ディスク識別情報や再生トラック・優先度情報は一度登録すると、消去動作を行わない限り保持される。従って、光ディスクを入れ替えて別な光ディスクを再生した後に再度登録済みの光ディスクを再生する時は、当該光ディスクについて過去に設定された再生トラック・優先度情報に基づいて再生を行うことができる。
【００２３】
次に、上記構成のディスク再生装置の動作について説明する。図２は、ディスク再生装置における再生トラック・優先度情報の登録動作を示すフローチャートである。ディスク再生装置に光ディスクが装填された状態で、操作部１３からの入力によりプログラム登録モードになると、制御プログラムの実行により、システム制御部１４は、サーボ制御回路１２を介して光ディスク３００固有のディスク識別情報を取得する（ステップＳ１０１）。ディスク識別情報としては、例えば、ＴＯＣ（テーブルオブコンテンツ）情報などを用いればよい。
【００２４】
次に、再生トラック情報の入力を受け付ける（ステップＳ１０２）。具体的には、操作者が、再生したいトラックの番号を選択して操作部１３の数値キー（不図示）で入力する。例えば、１０曲の楽曲データが記録された光ディスクで、最初に４番目の楽曲（トラック）を再生したい場合、「４」を入力する。
【００２５】
次に、この曲の優先度情報の入力を受け付ける（ステップＳ１０３）。優先度情報とは、選択したトラックについて再生の優先度を示す情報で、本実施の形態では、優先度の高い方から順に「○（大）」、「△（中）」、「□（小）」の３種類に分類する。例えば、上記で選択した４番目のトラックに再生の優先度「大」を設定したい場合、操作部１３の「○」キー（不図示）を押下する。
【００２６】
なお、優先度はこのような記号で分類してもよいし、数値の大小で分類するようにしてもよい。また、分類の数も３種類に限らず任意に設定してよい。
【００２７】
以上の操作により、最初に再生するトラックについて、トラック番号＝４、優先度＝○という入力が終了したので、次に登録するトラックがあるかどうかを判定する（ステップＳ１０４）。続けて登録を行う場合はステップＳ１０２へ戻り、同様の手順を繰り返す。このように複数のトラック番号を入力して再生用プログラムを設定する。
【００２８】
ステップＳ１０４で入力が終了すると、装填されている光ディスクの識別情報が既に内部記憶領域２０内のディスク識別情報部２１に記憶されているかどうかを判定する（ステップＳ１０５）。既に記憶されているということは、当該ディスクに関する再生用プログラムが過去に登録されていることを示す。登録されていない場合、ディスク識別情報をディスク識別情報部２１に新たに記録して（ステップＳ１０６）、当該ディスクの識別情報と対応付けてステップＳ１０２で入力した再生トラック情報を記録する（ステップＳ１０７）。一方、ステップＳ１０５で登録済みディスクと判定された場合、既に登録されている当該ディスク識別情報に対応付けてステップＳ１０２で入力した再生トラック情報が記録される。即ち、過去に登録された再生用プログラムが上書きされて新しい再生トラック情報と更新される。
【００２９】
図３は、再生トラック・優先度情報部２２に記憶された再生トラック・優先度情報のデータ構成を概念的に示す図である。この情報は、ディスク識別情報部２１に記憶されている識別情報「ＤＣ１」に対応する再生用プログラムとして記憶されている。具体的には、操作者が選択した「４」、「２」、「９」…という順番でトラックが再生されるように設定されている。また、トラック４は「○」、トラック２は「△」、トラック９は「○」…というように、再生の優先度も対応付けて記憶されている。これらの再生トラック・優先度情報とトラック識別情報は、光ディスクを入れ替えてもクリアされずに保持される。また、ディスク再生装置の電源を切っても保持されることが好ましい。
【００３０】
次に、ディスク再生装置の再生動作について説明する。図４はディスク再生装置におけるプログラム再生モードによる再生動作を示すフローチャートである。操作者が操作部１３から再生を指示すると、制御プログラムの実行により、システム制御部１４は、サーボ制御回路１２を介して、装填されている光ディスクの識別情報を取得する（ステップＳ２０１）。次に、システム制御部１４は、ディスク識別情報部２１に登録されている識別情報を読み込み（ステップＳ２０２）、ステップＳ２０１で取得した識別情報と一致するものがあるかどうかを判定する（ステップＳ２０３）。
【００３１】
同一の識別情報がある場合、当該光ディスクに再生用プログラムが設定されていることが判るので、システム制御部１４は、当該識別情報に対応する再生トラック・優先度情報を再生トラック・優先度情報部２２から読み込む（ステップＳ２０４）。
【００３２】
次に、優先度情報の入力の有無を判定する（ステップＳ２０５）。優先度情報の入力がある場合、優先度に従って再生トラックを抽出する（ステップＳ２０６）。例えば、識別情報「ＤＣ１」の光ディスクである場合、図３に示す再生トラック・優先度情報が読み込まれている。プログラム再生モードにおいて操作者が「○」キーを押下している場合、再生の優先度が「大」のトラックのみが抽出される。具体的には「４」、「９」、「８」の順番でトラックが抽出される。また、「△」キーが押下されている場合は、再生の優先度が「中」以上のトラックが抽出される。つまり、優先度が「中」と「大」のトラックが抽出されるので、具体的には「４」、「２」、「９」、「５」、「８」の順番でトラックが抽出される。トラック抽出後、順番に従ってトラックが再生される（ステップＳ２０７）。
【００３３】
一方、ステップＳ２０５で優先度情報の入力がない場合は、そのままプログラム再生が実行される。即ち、図３に示す再生トラック・優先度情報では、「４」、「２」、「９」、「５」、「６」、「８」、「１」の順番でトラックが再生される。また、ステップＳ２０３で一致する識別情報がない場合、当該光ディスクには再生用プログラムが設定されていないと判定し、プログラム再生動作は実行されない。
【００３４】
このように、再生トラック情報にディスク識別情報を付加し、登録した再生用プログラムを保持しておくことにより、登録済みの光ディスクであればいつでも当該プログラムの再生を行うことができる。つまり、光ディスクを入れ替えて別な光ディスクを再生したりしても、一度記憶した再生用プログラムは当該光ディスクに対していつでも有効である。また、再生トラック情報に優先度情報を付加しておくことにより、同じ再生用プログラムでも複数の異なる再生が可能であり、柔軟なプログラム再生が行える。
【００３５】
なお、本実施の形態では、記憶領域を内部記憶領域２０としてシステム制御部１４内部に設ける構成としたが、システム制御部１４の外部に設けてもよい。図５は、記憶領域をシステム制御部１４外に設けたディスク再生装置の構成を示す図である。外部記憶領域３０は、内部にディスク識別情報部３１と再生トラック・優先度情報部３２を有する。ディスク再生装置１０１のその他の構成および機能は、上述のディスク再生装置１００と同様であるので説明を省略する。
【００３６】
【発明の効果】
本発明によれば、ディスク識別情報が、再生トラック情報に対応付けられたディスク識別情報に一致する場合は、対応する再生トラック情報に基づいてトラック再生を行うことで、ディスクを交換した場合でも、再度の再生トラック情報の入力が不要になり、利便性を向上させることができる。
【図面の簡単な説明】
【図１】本発明の実施の形態のディスク再生装置の構成を示す図。
【図２】本発明の実施の形態のディスク再生装置における再生トラック・優先度情報の登録動作を示すフローチャート。
【図３】再生トラック・優先度情報部に記憶された再生トラック・優先度情報のデータ構成を概念的に示す図。
【図４】本発明の実施の形態のディスク再生装置におけるプログラム再生モードによる再生動作を示すフローチャート。
【図５】記憶領域をシステム制御部外に設けたディスク再生装置の構成を示す図。
【図６】プログラム再生機能を備えた従来のディスク再生装置の構成を示す図。
【符号の説明】
１０  ピックアップ
１４  システム制御部
２０  内部記憶領域
２１  ディスク識別情報部
２２  再生トラック・優先度情報部
３０  外部記憶領域
３１  再生トラック・優先度情報部
３２  ディスク識別情報部
１００、１０１  ディスク再生装置
３００  光ディスク
【図１】
2004348871.tif 000003
【図２】
2004348871.tif 000004
【図３】
2004348871.tif 000005
【図４】
2004348871.tif 000006
【図５】
2004348871.tif 000007
【図６】
2004348871.tif 000008